(57)【特許請求の範囲】
【請求項１】
クライアント端末と、該クライアント端末とネットワークを介して接続するサーバとを有し、
前記クライアント端末は、
前記クライアント端末の識別情報を前記サーバに送信する識別情報送信部と、
前記サーバから画像取得許可情報を受信することにより、書類の撮影を開始し、該書類を撮影することにより得られ第１記憶部に保存された画像を、取得する取得部と、
前記取得部により取得された画像を前記サーバに送信する画像送信部と、
前記サーバから消去指示を受信することにより、前記第１記憶部に保存された画像を消去する消去部と
を備え、
前記サーバは、
前記クライアント端末から送信された前記識別情報と予め保存された識別情報とを照合し、現在の時刻と撮影予定時刻を示す所定の条件とを照合する照合部と、
前記照合した結果が一致する場合、前記画像取得許可情報を前記クライアント端末に送信する画像取得許可情報送信部と、
前記クライアント端末から送信された画像の判読性を評価し、前記評価の結果に基づいて判読の可否を判定する判読性判定部と、
前記判読の可能な画像を第２記憶部に保存する画像保存部と、
前記判読の可能な画像が前記第２記憶部に保存された場合、前記クライアント端末に、前記消去指示を送信する消去指示部と
を備えることを特徴とする画像管理システム。
【請求項２】
前記評価は、前記クライアント端末から送信された画像のシャープネスに基づいて評価する請求項１に記載の画像管理システム。
【請求項３】
前記評価は、ＯＣＲ処理により前記クライアント端末から送信された画像が示す文字列を認識することにより評価する請求項１に記載の画像管理システム。
【請求項４】
前記サーバは、更に、
所定の書類に関連する文字列候補と前記文字列とに基づいて、前記撮影された書類の種別を確認する書類種別確認部を有する請求項３に記載の画像管理システム。
【請求項５】
前記サーバは、更に、
所定の手続をする際に必要な作業内容を示すワークフローを登録するワークフロー登録部と、
前記判読の可能な画像が前記第２記憶部に保存された後、前記作業内容のうち、前記書類の画像を取得する作業が完了したことを保存するワークフロー管理部と
を備える請求項１乃至４のいずれか１項に記載の画像管理システム。
【請求項６】
サーバとネットワークを介して接続するクライアント端末を、
前記クライアント端末の識別情報を前記サーバに送信する識別情報送信部と、
前記サーバにより、前記クライアント端末から送信された前記識別情報と予め保存された識別情報とが照合され、現在の時刻と撮影予定時刻を示す所定の条件とが照合され、前記照合した結果が一致する場合、前記クライアント端末に送信される画像取得許可情報を受信することにより、書類の撮影を開始し、該書類を撮影することにより得られ第１記憶部に保存された画像を、取得する取得部と、
前記取得部により取得された画像を前記サーバに送信する画像送信部と、
前記サーバにより、前記クライアント端末から送信された画像の判読性が評価され、前記評価の結果に基づいて判読の可否が判定され、前記判読の可能な画像が第２記憶部に保存され、前記判読の可能な画像が前記第２記憶部に保存された場合、前記クライアント端末に送信される消去指示を受信することにより、前記第１記憶部に保存された画像を消去する消去部
として機能させるためのクライアント端末側プログラム。
【請求項７】
クライアント端末とネットワークを介して接続するサーバを、
前記クライアント端末から送信された該クライアント端末の識別情報と予め保存された識別情報とを照合し、現在の時刻と撮影予定時刻を示す所定の条件とを照合する照合部と、
前記照合した結果が一致する場合、画像取得許可情報を前記クライアント端末に送信する画像取得許可情報送信部と、
前記クライアント端末により、画像取得許可情報が受信され、書類の撮影が開始され、該書類が撮影されることにより得られ第１記憶部に保存された画像が取得され、前記サーバに送信された画像の判読性を評価し、前記評価の結果に基づいて判読の可否を判定する判読性判定部と、
前記判読の可能な画像を第２記憶部に保存する画像保存部と、
前記判読の可能な画像が前記第２記憶部に保存された場合、前記クライアント端末に、前記第１記憶部に保存された画像を消去する消去指示を送信する消去指示部
として機能させるためのサーバ側プログラム。
【請求項８】
クライアント端末が、
該クライアント端末の識別情報を該クライアント端末とネットワークを介して接続するサーバに送信し、
前記サーバが、
前記クライアント端末から送信された前記識別情報と予め保存された識別情報とを照合し、現在の時刻と撮影予定時刻を示す所定の条件とを照合し、
前記照合した結果が一致する場合、前記画像取得許可情報を前記クライアント端末に送信し、
前記クライアント端末が、
前記サーバから画像取得許可情報を受信することにより、書類の撮影を開始し、該書類を撮影することにより得られ第１記憶部に保存された画像を、取得し、
前記取得された画像を前記サーバに送信し、
前記サーバが、
前記クライアント端末から送信された画像の判読性を評価し、前記評価の結果に基づいて判読の可否を判定し、
前記判読の可能な画像を第２記憶部に保存し、
前記判読の可能な画像が前記第２記憶部に保存された場合、前記クライアント端末に、消去指示を送信し、
前記クライアント端末が、
前記サーバから前記消去指示を受信することにより、前記第１記憶部に保存された画像を消去する
ことを特徴とする画像管理方法。
【発明の詳細な説明】
【技術分野】
【０００１】
本発明は、書類を撮影して取得した画像を管理する技術に関する。
【背景技術】
【０００２】
従来、業務で必要となる書類を端末に搭載されているカメラで撮影して画像を取得する技術が知られている。取得された画像は端末の記憶部に保存されるとともにサーバに送信される。
【０００３】
関連する技術として、以下の技術が開示されている。
【先行技術文献】
【特許文献】
【０００４】
【特許文献１】特開２００８−３０５２９２号公報
【発明の概要】
【発明が解決しようとする課題】
【０００５】
しかし、端末が取得した画像を保持し続けている場合、端末の紛失、盗難、ネットワーク経由等により画像が流出する場合がある。また、端末の障害や災害等により画像を消失するおそれもある。
【０００６】
また、画像を端末からサーバへ送信する際、送信過程の障害により画像が破損する場合がある。あるいは、有効な画像がサーバに保存される前に、誤操作により端末に保存されている画像を消去してしまうと、再度必要な書類の入手を行わなければならないなど、無用な労力を費やすことになる。
【０００７】
本発明が解決しようとする課題は、取得した画像のセキュリティを確保するとともに取得した画像の消失を防止する技術を提供することである。
【課題を解決するための手段】
【０００８】
上述した課題を解決するため、本実施形態の画像管理システムは、取得部と、判読性判定部と、保存部と、消去指示部とを有する。取得部は、書類を撮影することにより得られ第１記憶部に保存された画像を、取得する。判読性判定部は、取得された画像の判読性を評価し、評価の結果に基づいて判読の可否を判定する。画像保存部は判読の可能な画像を第２記憶部に保存する。消去指示部は、判読の可能な画像が第２記憶部に保存された場合、第１記憶部に保存された画像を消去するように指示する。
【図面の簡単な説明】
【０００９】
【図１】第１実施形態の画像管理システムのハードウェア構成を示すブロック図である。
【図２】第１実施形態の画像管理システムの機能構成を示すブロック図である。
【図３】第１実施形態の画像管理システムの動作を示すフローチャートである。
【図４】第１実施形態の画像管理システムの画像取得動作を示すフローチャートである。
【図５】クライアント端末が有するカメラで書類を撮影する様子を示す図である。
【図６】書類のエッジを検出する様子を示す図である。
【図７】保存した書類の画像を示す図である。
【図８】取得した画像を台形補正及びトリミングした後の画像を示す図である。
【図９】第１実施形態の画像管理システムの画像選択動作を示すフローチャートである。
【図１０】第２実施形態の画像管理システムの機能構成を示すブロック図である。
【図１１】第２実施形態の画像管理システムの動作を示すフローチャートである。
【図１２】手続に必要な書類名の一覧を示す図である。
【図１３】ＯＣＲ処理の結果を示す図である。
【図１４】書類が判読可能か否か及び適切な書類か否かを判定するための文字列候補を示す図である。
【図１５】第３実施形態の画像管理システムの機能構成を示すブロック図である。
【図１６】第３実施形態の画像管理システムの動作を示すフローチャートである。
【発明を実施するための形態】
【００１０】
以下、本発明の実施形態について図面を参照しつつ説明する。
【００１１】
（第１実施形態）
第１実施形態の画像管理システムのハードウェア構成について説明する。
【００１２】
図１は、第１実施形態の画像管理システム１のハードウェア構成を示すブロック図である。第１実施形態の画像管理システム１はクライアント端末１０とサーバ２０とを備える。
【００１３】
クライアント端末１０はＣＰＵ（Ｃｅｎｔｒａｌ  Ｐｒｏｃｅｓｓｉｎｇ  Ｕｎｉｔ）１１と、カメラ１２と、通信部１３と、記憶部１４と、表示部１５と、入力部１６とを有するものであり、例えばｓｌａｔｅ型ＰＣ、携帯電話、デジタルカメラ、ＰＣ等が挙げられる。ＣＰＵ１１は記憶部１４に格納された書類画像取得アプリケーション等のプログラムに従って動作することによりクライアント端末１０の機能を実現するデバイスである。カメラ１２は書類等を撮影するデバイスである。通信部１３はサーバ２０とデータ等を通信するデバイスである。記憶部１４はＣＰＵ１１を動作させるためのプログラムやＣＰＵ１１から渡された情報を保存するデバイスである。表示部１５はＣＰＵ１１から渡された情報を表示するデバイスであり、例えば液晶ディスプレイや有機ＥＬディスプレイが挙げられる。入力部１６は、ユーザによる操作を検出してＣＰＵ１１へ渡すデバイスであり、ポインティング・デバイス、キーボード、タッチパネルなどである。
【００１４】
サーバ２０は、ＣＰＵ２１と、通信部２２と、記憶部２３とを有する。ＣＰＵ２１は記憶部２３に格納されたプログラムに従って動作することによりサーバ２０の機能を実現するデバイスである。通信部２２はクライアント端末１０とデータ等を通信するデバイスである。記憶部２３はＣＰＵ１１を動作させるためのプログラムやＣＰＵ２１から渡された情報を保存するデバイスである。
【００１５】
次に、画像管理システム１の機能構成について説明する。図２は、第１実施形態の画像管理システム１の機能構成を示すブロック図である。第１実施形態の画像管理システム１の機能は、クライアント端末１０及びサーバ２０が有する。
【００１６】
クライアント端末１０の機能構成について説明する。クライアント端末１０は、取得部１０１と、選択部１０２と、通信部１０３と、画像消去部１０４（消去部）と、メッセージ表示部１０５とを有する。
【００１７】
取得部１０１は所定の書類を撮影して得られ記憶部１４（第１記憶部）に保存された複数の画像を、取得する。取得部１０１は、外部の端末が撮影することにより得られ外部の記憶部（第１記憶部）に保存された複数の画像を、ネットワークを介して取得してもよい。選択部１０２は、取得部１０１で取得された画像のうちから所定の画像を選択する。通信部１０３は種々の情報をサーバ２０と通信する。画像消去部１０４は記憶部１４に保存された画像を消去する。メッセージ表示部１０５はクライアント端末１０の入力部１６にメッセージを表示する。
【００１８】
サーバ２０の機能構成について説明する。サーバ２０は、画像取得開始連携部２０１（画像取得許可情報送信部）と、通信部２０２と、判読性判定部２０３と、メッセージ通知部２０４（消去指示部）と、画像保存部２０５とを有する。
【００１９】
画像取得開始連携部２０１（撮影許可情報送信部）は取得部１０１と連携して書類画像取得アプリケーションを起動する。通信部２０２は通信部１０３と同様の機能を有する。判読性判定部２０３は選択画像の判読性を評価し判読可否を判定する。メッセージ通知部２０４は、判読性判定部２０３の判定結果に基づいて画像消去命令や再取得メッセージを、通信部２０２を介してクライアント端末１０に送信する。画像保存部２０５は選択画像を記憶部２３に保存する。
【００２０】
次に、第１実施形態の画像管理システム１の動作について説明する。図３は第１実施形態の画像管理システム１の動作を示すフローチャートである。なお、図１及び図２を用いて説明する。
【００２１】
まず、取得部１０１は所定の書類を撮影して得られた複数の画像を取得する（Ｓ１）。Ｓ１について以下に詳述する。図４は第１実施形態の画像管理システム１の画像取得動作を示すフローチャートである。ここで、取得部１０１は、図２に示すように、起動処理部１０１ａ（識別情報送信部）と、エッジ検出部１０１ｂと、理想枠表示部１０１ｃと、画像取得部１０１ｄと、台形補正部１０１ｅとを有する。また、書類画像取得アプリケーションは不正撮影防止機能を有し、起動したのみでは撮影を開始することができないものとする。
【００２２】
起動処理部１０１ａはクライアント端末１０とサーバ２０とを連携することにより、書類画像取得アプリケーションの起動処理を行う（Ｓ１ａ）。起動処理部１０１ａは具体的には以下のような動作を行う。起動処理部１０１ａは、書類画像取得アプリケーションが起動されると、記憶部１４に保存されたクライアント端末ＩＤ（識別情報）等の情報を、通信部１０３を介してサーバ２０の画像取得開始連携部２０１に送信する。
【００２３】
サーバ２０の画像取得開始連携部２０１は起動処理部１０１ａからクライアント端末ＩＤを受信した場合、受信したクライアント端末ＩＤと、記憶部２３に予め保存されているクライアント端末ＩＤとを照合する。また、画像取得開始連携部２０１は、クライアント端末ＩＤを受信した場合、現在時刻と、記憶部２３に予め保存され撮影する予定の時刻の範囲（所定の条件）とを照合する。
【００２４】
画像取得開始連携部２０１は、照合の結果、クライアント端末ＩＤが一致し、且つ現在時刻が撮影する予定の時刻の範囲に含まれると判断した場合、通信部２０２を介して画像取得許可情報を起動処理部１０１ａに送信する。起動処理部１０１ａは、受信した画像取得許可情報を書類画像取得アプリケーションに読み込ませることにより、書類画像取得アプリケーションの不正撮影防止機能を解除する。書類画像取得アプリケーションは、不正撮影防止機能の解除により一定期間だけ動作し、その期間経過後、不正撮影防止機能により撮影をすることができない設定に戻る。
【００２５】
図５はクライアント端末１０が有するカメラ１２で書類を撮影する様子を示す図である。図６は書類のエッジを検出する様子を示す図である。エッジ検出部１０１ｂは、図５に示すようにクライアント端末１０のカメラ１２の連続撮影が始まると、図６に示すように撮影された画像の輝度勾配から画像のエッジを検索する（Ｓ１ｂ）。
【００２６】
画像のエッジを検出すると、理想枠表示部１０１ｃは、図６に示すように表示部１５に理想枠を撮影された画像に重ねて表示させる（Ｓ１ｃ）。理想枠は、カメラ１２の表示画面に対応する座標の情報に基づいてクライアント端末１０の表示部１５に表示される。
【００２７】
図７は保存した書類の画像を示す図である。図８は取得した画像を台形補正及びトリミングした後の画像を示す図である。画像取得部１０１ｄは、クライアント端末１０のカメラ１２が例えば１秒間に３０枚の速さで連続撮影し、撮影された画像が理想枠に入ると画像をｎ枚取得する（Ｓ１ｄ）。画像取得部１０１ｄは、連続撮影中、画像取得部１０１ｄは表示部１５のプレビュー画面に残りの撮影枚数をカウントダウン表示する。このように取得された画像は、図７に示すようにカメラ１２の向きにより台形に歪む場合がある。そこで、台形補正部１０１ｅは画像取得部１０１ｄで撮影して取得された画像を台形補正する（Ｓ１ｅ）。このような処理を経て、取得部１０１は、図８に示す複数の画像を取得する。
【００２８】
次に、選択部１０２は、取得部１０１により取得された複数の画像のうちから所定の条件を満たす画像を選択する（Ｓ２）。Ｓ２について以下に詳述する。図９は第１実施形態の画像管理システム１の画像選択動作を示すフローチャートである。ここで、取得部１０１は、図２に示すように、画像選択部１０２ａと、画像補正部１０２ｂと、画像保存部１０２ｃとを有する。
【００２９】
画像選択部１０２ａは、取得部１０１で取得された複数の画像のそれぞれについて、隣接する画素毎に輝度の変化率を算出し、画像内の変化率の平均値（シャープネス）を評価値として算出する。画像選択部１０２ａは、算出した評価値が最も高い画像を、撮影時の手ぶれや焦点ズレによるボケの少ない画像として選択する（Ｓ２ａ）。画像補正部１０２ｂは、選択された画像についてトリミング・コントラスト補正を行う（Ｓ２ｂ）。画像保存部１０２ｃはトリミング・コントラスト補正後の補正画像を記憶部１４に保存する（Ｓ２ｃ）。
【００３０】
次に、通信部１０３は補正画像をサーバ２０の通信部２０２に送信する（Ｓ３）。サーバ２０の通信部２０２は補正画像を受信する（Ｓ４）。判読性判定部２０３は補正画像のシャープネスを評価値として算出する。そして、判読性判定部２０３は、記憶部２３に予め保存された閾値を取得し、評価値が閾値より大きいか否か、すなわち判読可能か否かを判定する（Ｓ５）。
【００３１】
評価値が閾値より大きい場合（Ｓ５、ｙｅｓ）、判読性判定部２０３は判定結果及び補正画像をメッセージ通知部２０４に渡すとともに、補正画像を画像保存部２０５に渡す。画像保存部２０５は補正画像を記憶部２３に保存する（Ｓ６）。また、メッセージ通知部２０４は、判定結果に基づいて通信部２０２を介してクライアント端末１０に画像消去命令を送信する（Ｓ７）。クライアント端末１０の通信部１０３は画像消去命令を受信する（Ｓ８）。画像消去部１０４は画像消去命令に基づいて記憶部１４に保存された補正画像を消去する（Ｓ９）。
【００３２】
一方、Ｓ５において評価値が閾値より小さい場合（Ｓ５、ｎｏ）、メッセージ通知部２０４は、判定結果に基づいてクライアント端末１０に再取得メッセージを送信し（Ｓ１０）、Ｓ１に戻る。この際、メッセージ表示部１０５はクライアント端末１０の表示部１５に画像再取得メッセージを表示する。
【００３３】
このように、第１実施形態によれば、補正画像をサーバ２０で保存した後にクライアント端末１０側の補正画像を消去するため、取得した画像のセキュリティを確保するとともに、取得した画像の消失を防止することができる。また、クライアント端末１０とサーバ２０とが連携しているため、ユーザによる不正撮影を防止することができる。
【００３４】
また、第１実施形態によれば、クライアント端末１０で取得した複数の画像からボケの少ない画像を選択した後に、サーバ２０でシャープネスにより判読性を評価している。このため、画像管理システム１は、サーバ２０の画像処理負担を低減することができる。
【００３５】
（第２実施形態）
次に、第２実施形態について説明する。第２実施形態は、第１実施形態のサーバ２０にＯＣＲ（Ｏｐｔｉｃａｌ  Ｃｈａｒａｃｔｅｒ  Ｒｅａｄｅｒ）処理機能が追加されたことを除き第１実施形態と同様の構成で実現できる。
【００３６】
第２実施形態の機能構成について説明する。図１０は、第２実施形態の画像管理システム２の機能構成を示すブロック図である。第１実施形態と同一の内容については、説明を省略する。
【００３７】
第２実施形態は、第１実施形態の機能構成に加え、ＯＣＲ処理部２０６と、書類種別確認部２０７とを有する。ＯＣＲ処理部２０６はサーバ２０が有するＯＣＲ処理機能により補正画像が示す文字列等を読み取る。書類種別確認部２０７は、補正画像が示す書類の書類種別を確認する。
【００３８】
第２実施形態の画像管理システム２の動作について説明する。図１１は第２実施形態の画像管理システム２の動作を示すフローチャートである。図１２は手続に必要な書類名の一覧を示す図である。図１３はＯＣＲ処理の結果を示す図である。図１４は書類が判読可能か否か及び適切な書類か否かを判定するための文字列候補を示す図である。なお、以下の説明では図１及び図２を用いることがある。
【００３９】
まず、ユーザはクライアント端末１０の表示部１５に表示された画面から、これから取得する書類の書類名を押下する。図１２に示すような書類名の一覧の中から、一つの書類名が選択されると、書類画像取得アプリケーションが起動される。この後は第１実施形態と同様に、Ｓ１及びＳ２の動作を行う。通信部１０３は補正画像に加え、ユーザにより選択され予め記憶部１４に保存されていた書類名情報を合わせてサーバ２０に送信する（Ｓ３）。サーバ２０の通信部２０２はこれらの画像や情報を受信する（Ｓ４）。ＯＣＲ処理部２０６は補正画像をＯＣＲ処理して補正画像の文字列を読み取り、図１３に示すようなＯＣＲ結果を取得する（Ｓ５ａ）。判読性判定部２０３は、サーバ２０の記憶部２３に予め保存されている日本語辞書の情報を取得し、ＯＣＲ結果が日本語として意味を成す文字列か否かを判定する（Ｓ５ｂ）。この際、判読性判定部２０３は、日本語辞書の代わりに図１４に示すように、予め記憶部２３に保存されている文字列候補の情報を取得して判断してもよい。
【００４０】
日本語として意味を成す文字列である場合（Ｓ５ｂ、ｙｅｓ）、書類種別確認部２０７は、図１４に示す保険金支払い業務に関する文字列候補を読み出す。そして、ＯＣＲ処理の結果に文字列候補が含まれているか否かを確認する（Ｓ５ｃ）。ここで、書類種別確認部２０７は、ＯＣＲ処理の結果に文字列候補が含まれていない場合であっても、補正画像を９０度回転させてＯＣＲ処理と文字列候補検索を行う。書類種別確認部２０７は、これらを３回繰り返す。この結果、文字列候補が含まれている場合には（Ｓ５ｃ、ｙｅｓ）、書類種別確認部２０７は、第１実施形態と同様に補正画像をサーバ２０の記憶部２３に保存し（Ｓ６）、補正画像を消去するように指示するための画像消去命令をクライアント端末１０に送信する（Ｓ７）。クライアント端末１０は、メッセージを受信し（Ｓ８）、記憶部１４に保存されている補正画像を消去する（Ｓ９）。
【００４１】
一方、日本語として意味を成す文字列でない場合（Ｓ５ｂ、ｎｏ）、及びＯＣＲ処理の結果に文字列候補が含まれていない場合（Ｓ５ｃ、ｎｏ）、メッセージ通知部２０４は、画像再取得メッセージをクライアント端末１０に送信し（Ｓ１０）、Ｓ１に戻る。この際、メッセージ表示部１０５はクライアント端末１０の表示部１５に画像再取得メッセージを表示する。なお、処理Ｓ５ｂ及びＳ５ｃのうちいずれか一つにより判読可否が判定されてもよい。
【００４２】
このように、画像管理システム２はサーバ２０における補正画像の判読性をＯＣＲ処理することにより評価しているため、直接的且つ迅速に判読の可否を判断することができる。また、書類種別を自動的に判断するため、所望の書類とは全く異なる書類の画像を取得したような場合に、直ちに所望の書類とは異なる書類であることを判断することができる。
【００４３】
（第３実施形態）
第３実施形態の画像管理システム３について説明する。第３実施形態の画像管理システム３は、画像管理システム２と同様のハードウェア構成で実現することができる。また、サーバ２０の記憶部２３には、前述の他、保存された入会手続業務や保険金支払い業務等の業務手続毎に必要となる必要書類情報、顧客訪問日時情報、及び業務手続毎のワークフローが予め関連付けられて保存されている。この他は第２実施形態におけるハードウェア構成と同様の構成である。
【００４４】
第３実施形態の機能構成について説明する。図１５は第３実施形態の画像管理システム３の機能構成を示すブロック図である。第２実施形態と同一の内容については、説明を省略する。第３実施形態は第２実施形態の機能構成に加え、ワークフロー登録部２０８と、手続進捗管理部２０９とを有する。ワークフロー登録部２０８は、サーバ２０の記憶部２３に保存されているワークフローを予定表に登録する。ワークフローは、そのワークフローに含まれる複数の手続をする際に必要な作業内容と、各作業内容の作業予定日または作業予定時刻を示す。手続進捗管理部２０９は、クライアント端末１０から受信した情報に基づいて必要な手続を示すワークフローの進捗状況を管理する。サーバ２０の記憶部２３には、予め、作業予定情報や予定表が保存されている。また、作業内容は作業予定日までにサーバ２０の予定表に登録されているものとする。
【００４５】
第３実施形態の画像管理システム３の動作について説明する。図１６は第３実施形態の画像管理システム３の動作を示すフローチャートである。
【００４６】
まず、ワークフロー登録部２０８は、取得部１０１による画像の取得の前に、予め、サーバ２０の記憶部２３に保存されているワークフローを予定表に登録しておく（Ｓ０）。そして、画像管理システム２の動作と同様に、ユーザは表示部１５に表示された画面からこれから取得する書類の書類名を押下する。この後は第２実施形態と同様に、Ｓ１からＳ５ｃまでの動作を行う。
【００４７】
画像保存部２０５は補正画像を記憶部２３に保存する（Ｓ６ａ）。手続進捗管理部２０９は補正画像が保存された後、予定表に登録されているワークフローのうち、必要書類取得手続が完了したことを保存することによりワークフローを次の手続へ進捗させ、ワークフローを更新する（Ｓ６ｂ）。この後は第２実施形態と同様に、Ｓ７からＳ１０までの動作を行い、動作を終了する。
【００４８】
このように、画像管理システム３は、顧客からの所望の業務予定に応じて必要なワークフローを管理し、必要書類の取得が終了した後に次の手続にワークフローを進捗させる。このため、画像管理システム３によれば、ユーザが必要な業務手続を自己管理する必要がなく、容易に必要業務を遂行することができるとともに、業務不備を解消することができる。
【００４９】
前記第１〜第３実施形態では、画像管理システム１〜３の機能を図２、図１０及び図１５に示すようにクライアント端末１０及びサーバ２０が有していたが、クライアント端末１０がサーバ２０の判読性判定部２０３を有してもよい。この場合、サーバ２０は、クライアント端末１０の判読性判定部２０３で判読性が判定された画像を、記憶部２３に保存する。また、特許請求の範囲に記載の画像保存部は、判読可能と判定された画像をサーバ２０へ送信する通信部であってもよく、特許請求の範囲に記載の消去指示部は、サーバ２０からの消去指示命令を受信して画像消去部１０４に画像を消去させる通信部であってもよい。従って、画像管理システム１〜３はクライアント端末１０に適用されてもよい。一方、サーバ２０はクライアント端末１０の選択部１０２を有してもよい。この場合、クライアント端末１０は、画像の取得及びその消去をするだけでよい。また、特許請求の範囲に記載の取得部は、クライアント端末１０により撮影された画像を受信する通信部であってもよい。従って、画像管理システム１〜３はサーバ２０に適用されてもよい。
【００５０】
また、画像管理システム１〜３においては、画像取得部１０１ｄが撮影を開始した情報を、通信部１０３を介してサーバ２０の画像取得開始連携部２０１に送信してもよい。画像取得開始連携部２０１は、撮影許可情報を送信後所定期間経過しても撮影を開始した情報を受信しない場合、業務の管理部門にその旨を通知してもよい。
【００５１】
また、画像管理システム１〜３の選択部１０２では、選択画像を選択した後に画像補正部１０２ｂで選択画像を補正したが、この順番に限られない。すなわち、選択部１０２が、取得部１０１で取得した複数の画像の全てを画像補正部１０２ｂでトリミング・コントラスト補正した後、画像選択部１０２ａで評価値の高い画像を選択してもよい。この場合、取得部１０１で取得された画像のうちからブレやボケの少ない画像を確実に選択することができる。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１〜３  画像管理システム、１０  クライアント端末、１１及び２１  ＣＰＵ、１２  カメラ、１３及び２２  通信部、１４及び２３  記憶部、１５  表示部、１６  入力部、２０  サーバ、１０１  取得部、１０１ａ  起動処理部、１０２  選択部、１０３及び２０２  通信部、１０４  画像消去部、１０５  メッセージ表示部、２０１  画像取得開始連携部、２０３  判読性判定部、２０４  メッセージ通知部、２０５  画像保存部、２０６  ＯＣＲ処理部、２０７  書類種別確認部、２０８  ワークフロー登録部、２０９  手続進捗管理部。
【図１】
0005689771.tif 000002
【図２】
0005689771.tif 000003
【図３】
0005689771.tif 000004
【図４】
0005689771.tif 000005
【図５】
0005689771.tif 000006
【図６】
0005689771.tif 000007
【図７】
0005689771.tif 000008
【図８】
0005689771.tif 000009
【図９】
0005689771.tif 000010
【図１０】
0005689771.tif 000011
【図１１】
0005689771.tif 000012
【図１２】
0005689771.tif 000013
【図１３】
0005689771.tif 000014
【図１４】
0005689771.tif 000015
【図１５】
0005689771.tif 000016
【図１６】
0005689771.tif 000017